(57)【要約】【課題】本発明は、バーハンドル仕様の後進・クラッチ・ギア無しの２馬力船外機を、ステアリングホイール・リモコン仕様に変更し、レジャーボート、レンタルボート等、幅広い用途に使用出来る事を提供するものである。【解決手段】ステアリングケーブル（２）の船外機取り付け側のシャフト部分を改造し、ステアリングケーブル（２）の両端でヘルム（３）が使用出来る様にする。  運転席側のヘルム（３）にステアリングホイール（４）を取り付ける。  ステアリングホイール（４）を左右に回転させると、船外機本体（１）が左右にコントロールされる。  ステアリングホイール（４）を１回転させると、船外機本体（１）が１８０度回転する事になり、後進させる事が出来る様になる。  バーハンドル（１０）を船外機本体（１）より取り外し、スロットルケーブル（１１）を長い物と交換し、運転席サイドに取り付け、リモコンとして使用する。  非常停止スイッチ（１２）を配線（１３）を延長して、運転席パネルに移動し取り付ける。【選択図】図１
2006051917.tif 000002
【特許請求の範囲】
【請求項１】
ステアリングケーブル（２）の船外機取り付け側のシャフト部分を改造し、ロータリータイプのヘルム（３）が使用出来る様にする。
運転席側のヘルム（３）は運転席パネルに取り付け、ステアリングケーブル（２）を接続し、ステアリングホイール（４）を取り付ける。
船外機側のヘルム（３）はＬ型ブラケット（５）に取り付け、ステアリングケーブル（２）を接続する。
船外機側のヘルム（３）の先端にスプロケット（６）を取り付ける。
Ｌ型ブラケット（５）はクランプブラケット（７）後部にボルトで固定する。
船外機本体（１）にスプロケット（６）をボルトで取り付ける。
ヘルム（３）と船外機本体（１）の両方のスプロケット（６）をチェーン（８）で連結する事により、ステアリングホイール（４）にて船外機本体（１）をコントロールする事が出来る。
スプロケット（６）・チェーン（８）に安全カバー（９）を取り付ける。
ステアリングホイール（４）を１回転させると船外機本体（１）が１８０度回転し、後進する事が出来る様になり、結果ステアリングホイール・リモコン仕様に変更できる方法。
【請求項２】
バーハンドル（１０）を船外機本体（１）より取り外し、スロットルケーブル（１１）を長い物と交換し、運転席サイドに取り付け、リモコンとして使用する。
非常停止スイッチ（１２）を船外機本体（１）より取り外し、配線（１３）を延長して運転席パネルに取り付ける。
スロットルケーブル（１１）・配線（１３）は船外機本体（１）が回転しても絡まない様、アンテナ（１４）で上部に引き上げる様にする。
請求項１記載の、ステアリングホイール・リモコン仕様に変更できる方法。
【発明の詳細な説明】
【発明の詳細な説明】
【技術分野】
【０００１】  この発明は、バーハンドル仕様の後進・クラッチ・ギア無しの２馬力船外機をステアリングホイール・リモコン仕様に変更するものである。
【背景技術】
【０００２】  従来、バーハンドル仕様の後進・クラッチ・ギア無しの２馬力船外機の場合後進する時は船外機本体（１）を１８０度回転させる方式である為、従来のステアリングケーブル（２）では船外機本体（１）を回転させる事が出来なかったので、ステアリングホイール・リモコン仕様は不可能であった。
【発明が解決しようとする課題】
【０００３】  本発明は、バーハンドル仕様の後進・クラッチ・ギア無しの２馬力船外機をステアリングホイール・リモコン仕様に変更する事によって、レジャーボート、レンタルボート等、幅広い用途に使用する事を可能にするものである。
【課題を解決する手段】
【０００４】  ステアリングケーブル（２）の船外機取り付け側のシャフト部分を改造し、ロータリータイプのヘルム（３）が使用出来る様にする。
運転席側のヘルム（３）は運転席パネルに取り付け、ステアリングケーブル（２）を接続し、ステアリングホイール（４）を取り付ける。
船外機側のヘルム（３）はＬ型ブラケット（５）に取り付け、ステアリングケーブル（２）を接続し、スプロケット（６）を取り付ける。
Ｌ型ブラケット（５）はクランプブラケット（７）後部にボルトで固定する。
船外機本体（１）にスプロケット（６）をボルトで取り付ける。
ヘルム（３）と船外機本体（１）の両方のスプロケット（６）をチェーン（８）で連結する事により、ステアリングホイール（４）にて船外機本体（１）をコントロールする事が出来る。
スプロケット（６）、チェーン（８）部に、安全カバー（９）を取り付ける。
ステアリングホイール（４）を１回転させると船外機本体（１）が１８０度回転し、後進する事が出来る様になる。
バーハンドル（１０）を船外機本体（１）より取り外し、スロットルケーブル（１１）を長い物と交換し、リモコンとして使用する。
非常停止スイッチ（１２）を船外機本体（１）より取り外し、配線（１３）を延長して運転席パネルに移動、取り付ける。
スロットルケーブル（１１）・配線（１３）は船外機本体（１）が回転しても絡まない様、アンテナ（１４）で上部に引き上げる様にして取り出す。
本発明は、以上の構成によりバーハンドル仕様の後進・クラッチ・ギア無しの２馬力船外機をステアリング・リモコン仕様に変更するものである。
【発明実施の形態】
【０００５】  以下、本発明の実施の形態を説明する。
（イ）ステアリングケーブル（２）の船外機取り付け側のシャフト部分を改造し、ヘルム（３）が使用できる様にする。
（ロ）運転席側ヘルム（３）にステアリングケーブル（２）を接続、ステアリングホイール（４）を取り付ける。
（ハ）船外機側ヘルム（３）にステアリングケーブル（２）を接続、スプロケット（６）を取り付ける。
（ニ）船外機本体（１）にスプロケット（６）をボルトで固定する。
（ホ）両スプロケット（６）をチェーン（８）で連結し、安全カバー（９）をする。
（ヘ）船外機側ヘルム（３）はＬ型ブランケット（５）に取り付ける。
Ｌ型ブラケット（５）はクランプブラケット（７）にボルトで止め固定する。
（ト）バーハンドル（１０）を船外機本体（１）より取り外し、スロットルケーブル（１１）を長い物と交換して運転席のサイドに取り付ける。
（チ）非常停止スイッチ（１２）を船外機本体（１）より取り外し、配線（１３）を延長して運転席パネルに移動し、取り付ける。
（リ）スロットルケーブル（１１）・配線（１３）は、船外機本体（１）が回転しても絡まない様、アンテナ（１４）で上部に引き上げてから取り出す。
本発明は以上の構成よりなる。
本発明を使用する事により、ステアリングホイール・リモコン仕様に変更される。
【発明の効果】
【０００６】  本発明を使用する事により、バーハンドル仕様の後進・クラッチ・ギア無しの２馬力船外機をステアリングホイール・リモコン仕様に変更する事が可能になり、レジャーボート、レンタルボート等、幅広い用途に使用を可能にする事が出来る。
【図面の簡単な説明】
【図１】  本発明の斜視図
【図２】  本発明の要部拡大の正面図
【図３】  本発明の要部拡大の斜視図
【符号の説明】
（１）船外機本体、（２）ステアリングケーブル、（３）ヘルム、
（４）ステアリングホイール、（５）Ｌ型ブラケット、（６）スプロケット
（７）クランプブラケット、（８）チェーン、（９）安全カバー、
（１０）バーハンドル、（１１）スロットルケーブル、
（１２）非常停止スイッチ、（１３）配線、（１４）アンテナ
【図１】
2006051917.tif 000003
【図２】
2006051917.tif 000004
【図３】
2006051917.tif 000005